(57)【特許請求の範囲】
【請求項１】
乳幼児の身体の腹側が直接的または背側が直接的、間接的にあてがわれる本体部と、
前記本体部の縦抱き状態における下部と略逆Ｔ字状に接続された使用者の腰回りに配設自在な腰ベルト部と、
前記本体部の上部に一端が固着され、使用者側の肩または首の背後に回して、他端を前記本体部の縦抱き状態における前記本体部の下部中央に接続された一対の肩ベルト部と、
前記一対の肩ベルト部の一端が取付けられた前記本体部の上部と、他端が取付けられた前記本体部の縦抱き状態における前記本体部の下部中央との間の前記一対の肩ベルト部の各々に配設された肩ベルト連結具と
を具備することを特徴とするベビーキャリア。
【請求項２】
乳幼児の身体の腹側が直接的または背側が直接的、間接的にあてがわれる本体部と、
前記本体部の縦抱き状態における下部と略逆Ｔ字状に接続された使用者の腰回りに配設自在な腰ベルト部と、
前記本体部の上部に一端が固着され、使用者側の肩または首の背後に回して、他端を前記本体部の縦抱き状態における前記本体部の下側中央の腰ベルト部に接続した一対の肩ベルト部と、
前記一対の肩ベルト部の一端が取付けられた前記本体部の上部と、他端が取付けられた前記本体部の縦抱き状態における前記腰ベルト部との間に一方が取付けられ、他方が前記肩ベルト部の各対に配設された肩ベルト連結具と、
前記本体部に重ね合わせて取付け、取外しが自在であり、かつ、乳幼児の身体の背側があてがわれる内部に剛性のある芯材を収容し、前記芯材の表面をクッション性に富む材料で覆った横抱き用補助具と
を具備することを特徴とするベビーキャリア。
【請求項３】
乳幼児の身体の腹側が直接的または背側が直接的、間接的にあてがわれる本体部と、
前記本体部の縦抱き状態における下部と略逆Ｔ字状に接続された使用者の腰回りに配設自在な腰ベルト部と、
前記本体部の上部に一端が固着され、使用者側の肩または首の背後に回して、他端を前記本体部の縦抱き状態における前記本体部の下部中央または前記腰ベルト部中央に接続した一対の肩ベルト部と、
前記本体部の縦抱き状態における下部または前記腰ベルト部に配設し、前記腰ベルト部を格納または取出し自在な前記腰ベルト部の格納部と、
前記一対の肩ベルト部の一端が取付けられた前記本体部の上部と、他端が取付けられた前記本体部の縦抱き状態における前記腰ベルト部との間に一方が取付けられ、他方が前記肩ベルト部の各対に配設された肩ベルト連結具と、
前記本体部に重ね合わせて取付け、取外しが自在であり、かつ、乳幼児の身体の背側があてがわれる内部に剛性のある芯材を収容し、前記芯材の表面をクッション性に富む材料で覆った横抱き用補助具と
を具備することを特徴とするベビーキャリア。
【発明の詳細な説明】
【技術分野】
【０００１】
本発明は、乳幼児または幼児を「横抱き」、「縦抱き」または「おんぶ」という３つの態様によって乳幼児または幼児を運搬するベビーキャリア(子守帯)に関するもので、特に、横抱き、前後の縦抱き等が自在に切り替えて行うことができるベビーキャリアに関するものである。
【背景技術】
【０００２】
従来の幼児を縦抱き状態で保持することができるベビーキャリアは、例えば、幼児を保持する子守帯本体と、この子守帯本体を使用者が肩に吊り下げて装着する肩帯とを備えている。特に、首がすわっていない幼児を対象とした子守帯においては、幼児の背面を比較的高い剛性で保持する必要があるため、子守帯本体に硬質ボードの如き剛性部材を用いてその剛性を高めていた。一方、首がすわってからの幼児を対象とした子守帯においては、幼児の背面を高い剛性で保持する必要がないため、子守帯本体には硬質ボードを用いずに、柔軟な布体のみにて構成していた。
【０００３】
特許文献１は、幼児を保持するためのベビーキャリア（１）の基本構成は、使用者（例えば、幼児の親）が装着する縦抱き用シート(１０)と、この縦抱き用シート(１０)に着脱自在に装着される横抱き用シート(５０)とを備えている。なお、特許文献で示す(  )内の数字は、特許文献１、特許文献２で使用されている図面の部品番号を示すものである。
ここで、ベビーキャリア(１)を用いて幼児を保持する際の態様について説明する。この態様としては、「横抱き」、「縦抱き」または「おんぶ」の３つの態様があり、更に、「縦抱き」には「前抱き」と「対面抱き」があり、「おんぶ」には「通常のおんぶ」と「クロスおんぶ」とがあり、総計で５つの態様がある。そして、使用者は自己のニーズに応じてこれら５つの態様のうちから１つの態様を選択し、幼児を運搬するものである。
【０００４】
また、特許文献２のベビーキャリア(１１)は、幼児(１１０)を寝かせた状態で支持するための支持具(２)と、その支持具(２)の前端部(２ａ)及び後端部(２ｂ)を吊り下げ支持する肩ベルト(３)とを備え、支持具(２)には幼児(１１０)を寝かせるためのマット部(４)が設けられ、そのマット部(４)内には幼児(１１０)の支持荷重に抗してマット部(４)の形状を保持するための芯材として背板(１８)が設けられたベビーキャリア(１１)において、背板(１８)の外周の少なくとも一部には当該背板(１８)の中心側の板厚よりも厚さが増した玉縁(１８ｃ)を設け、背板(１８)が使用者に当たったときの感覚を和らげることが可能なベビーキャリアを開示している。
【先行技術文献】
【特許文献】
【０００５】
【特許文献１】特開２００７−２６８０７３
【特許文献２】特開２００５−２３０１０７
【発明の概要】
【発明が解決しようとする課題】
【０００６】
このように、特許文献１は、首がすわっていない乳幼児を対象としても、容易かつ確実に携行でき、利用者の利便性を高めた子守帯が開示されている。しかし、抱かれている幼児の体形の安定性については追及するものがなかった。
また、特許文献２については、背板の少なくとも一部の外周に拡大部を設けることにより、使用者に背板が当たったときの背板の食い込みを抑えて接触時の感覚を和らげることができ、これにより、例えば、授乳姿勢のように支持具と使用者とが密着するような姿勢を取っても使用者が不快感を受けることなく長時間その姿勢を続けられるという作用効果を奏するものの、ベビーキャリアに抱かれている幼児体形の安全性については追及するものがない。特に、従来の首がすわっていない乳幼児を対象とした子守帯の横抱きの体形と、首がすわってからの乳幼児を対象とした子守帯の縦抱きの体形が、当該子守帯の使用者に過大な負担が加わることなく、かつ、乳幼児側にも体形に負担の少ない子守帯という概念は存在していない。また、横抱きの体形では乳幼児の足が子守帯から出ているので、当該子守帯の使用者の不注意で建造物等に当ててしまう可能性がある。
【０００７】
そこで、本発明は、首がすわっていない乳幼児を対象とした横抱きの体形と首がすわってからの乳幼児を対象とした縦抱きの体形が共に、使用者に過大な負担を加えることなく、かつ、乳幼児側の体形にも負担が少なく、また、横抱きの体形と縦抱きの体形との繋ぎ換えが簡単にできるベビーキャリアの提供を課題とするものである。
【課題を解決するための手段】
【０００８】
請求項１の発明にかかるベビーキャリアは、乳幼児の身体の腹側が直接的または背側が直接的、間接的にあてがわれる本体部、その本体部の縦抱き状態の下部と略逆Ｔ字状に接続され、使用者の腰回りに腰ベルト連結具によって配設される腰ベルト部、前記本体部の上部に一端が固着され、使用者側の肩または首の背後に回して、他端を前記本体部の縦抱き状態における下部に接続した一対の肩ベルト部と、前記一対の肩ベルト部の各々に配設された肩ベルト連結具と、前記本体部に重ね合わせて取付け、取外しが自在であり、かつ、乳幼児の身体の背側があてがわれる内部に剛性のある芯材を収容し、前記芯材の表面をクッション性に富む材料で覆った横抱き用補助具を具備する。
【０００９】
ここで、上記本体部は、乳幼児の縦抱きの場合、腹側が直接的、背側が直接的、及び横抱きの場合、横抱き用補助具を介して背側が間接的にあてがわれるものである。
また、上記腰ベルト部は、縦抱きの際に使用者の腰回りに配設するもので、前記本体部に対して略逆Ｔ字状を描くように配置され、その水平方向の長さ方向の端部は腰ベルト連結具によって互いに連結自在としている。なお、ここで、腰ベルト連結具、肩ベルト連結具とは、ナスカン、カラビナ、Ｄロック、クイックキャッチ、楕円リング等の連結具、バックルの連結差込具と連結受具の対が使用できるものである。
そして、上記一対の肩ベルト部は、前記本体部の上部に一端が固着され、横抱きの場合には、使用者側の肩または首の背後に回して他端を縦抱き状態の本体部の下部との接続状態で使用する。また、縦抱きの場合には、一対の肩ベルト部に配設された一方の肩ベルト連結具と前記本体部に配設された他方の肩ベルト連結具とを繋ぎ、前記本体部の上部に一端が固着された一対の肩ベルト部のループが前記本体部の側部の肩ベルト連結具によって形成される。
更に、上記横抱き用補助具は、前記本体部に重ね合わせて取付け、取外しが自在であり、かつ、乳幼児の身体の背側があてがわれる内部に剛性の比較的高い硬質ボード等の芯材を収容し、前記芯材の表面をクッション性に富む材料で覆うと共に、その下端を折曲自在とし、腰ベルト部の動きに追随させるものである。
【００１０】
請求項２の発明にかかるベビーキャリアは、乳幼児の身体の腹側が直接的または背側が直接的、間接的にあてがわれる本体部、その本体部の縦抱き状態の下部と略逆Ｔ字状に接続され、使用者の腰回りに腰ベルト連結具によって配設される腰ベルト部、前記本体部の上部に一端が固着され、使用者側の肩または首の背後に回して、他端を前記本体部の縦抱き状態における下側の腰ベルト部に接続した一対の肩ベルト部と、前記一対の肩ベルト部の各々に配設された肩ベルト連結具と、前記本体部に重ね合わせて取付け、取外しが自在な横抱き用補助具を具備するものである。
【００１１】
ここで、上記本体部は、乳幼児の縦抱きの場合、腹側が直接的、または縦抱きの場合、背側が直接的、及び横抱きの場合、横抱き用補助具を介して背側が間接的にあてがわれるものである。
また、上記腰ベルト部は、縦抱きの際に使用者の腰回りに配設するもので、前記本体部に対して略逆Ｔ字状を描くように配置され、その水平方向の長さ方向の端部は腰ベルト連結具によって互いに連結自在としている。なお、腰ベルト連結具、肩ベルト連結具とは、ナスカン、カラビナ、Ｄロック、クイックキャッチ、楕円リング等の連結具、バックルの連結差込具と連結受具の対が使用できるものである。
そして、上記一対の肩ベルト部は、前記本体部の上部に一端が固着され、横抱きの場合には、使用者側の肩または首の背後に回して他端を縦抱き状態の本体部下部との接続状態で使用する。また、縦抱きの場合には、一対の肩ベルト部に配設された肩ベルト連結具の一方と前記本体部側には配設された肩ベルト連結具の他方とを繋ぎ、前記本体部の上部に一端が固着された一対の肩ベルト部のループが前記本体部の側部の肩ベルト連結具によって形成される。
更に、上記横抱き用補助具は、前記本体部に重ね合わせて取付け、取外しが自在であり、かつ、乳幼児の身体の背側があてがわれる内部に剛性の比較的高い硬質ボード等の芯材を収容し、前記芯材の表面をクッション性に富む材料で覆うと共に、その下端を折曲自在とし、腰ベルト部の動きに追随させたものである。
【００１２】
請求項３の発明にかかるベビーキャリアは、乳幼児の身体の腹側が直接的または背側が直接的、間接的にあてがわれる本体部、その本体部の縦抱き状態の下部と略逆Ｔ字状に接続され、使用者の腰回りに配設される腰ベルト部、前記本体部の上部に一端が固着され、使用者側の肩または首の背後に回して、他端を前記本体部の縦抱き状態における下部または前記腰ベルト部上部に接続し、前記本体部の縦抱き状態における下部または前記腰ベルト部上部に接続した他端を、前記腰ベルト部に沿って通過させ、前記腰ベルト部の下部から導出させてなる一対の肩ベルト部と、前記一対の肩ベルト部の各々に配設された肩ベルト連結具と、前記本体部に重ね合わせて取付け、取外しが自在な横抱き用補助具を具備する。
【００１３】
ここで、上記本体部は、乳幼児の縦抱きの場合、腹側が直接的、背側が直接的、及び横抱きの場合、横抱き用補助具を介して背側が間接的にあてがわれるものである。
また、上記腰ベルト部は、縦抱きの際に使用者の腰回りに配設するもので、前記本体部に対して略逆Ｔ字状を描くように配置され、その水平方向の長さ方向の端部は腰ベルト連結具によって互いに連結自在としている。なお、腰ベルト連結具、肩ベルト連結具とは、ナスカン、カラビナ、Ｄロック、クイックキャッチ、楕円リング等の連結具、バックルの連結差込具と連結受具の対が使用できることになる。
そして、上記一対の肩ベルト部は、前記本体部の上部に一端が固着され、横抱きの場合には、使用者側の肩または首の背後に回して他端を縦抱き状態の本体部下部との接続状態で使用する。また、縦抱きの場合には、一対の肩ベルト部に配設された肩ベルト連結具の一方と前記本体部に配設された肩ベルト連結具の他方とを繋ぎ、前記本体部の上部に一端が固着された一対の肩ベルト部のループが前記本体部の側部の肩ベルト連結具によって形成される。
更に、上記横抱き用補助具は、前記本体部に重ね合わせて取付け、取外しが自在でありは、かつ、乳幼児の身体の背側があてがわれる内部に剛性の比較的高い硬質ボード等の芯材を収容し、前記芯材の表面をクッション性に富む材料で覆うと共に、その下端を折曲自在とし、腰ベルト部の動きに追随させたものである。
【発明の効果】
【００１４】
請求項１のベビーキャリアは、縦抱きするときには、本体部に重ね合わせて取付けられている横抱き用補助具を外し、本体部に乳幼児の身体の腹側または背側が直接的にあてがわれるように寝かせる。その本体部の縦抱き状態の下部位置で略逆Ｔ字状に取付けられた腰ベルト部の水平の長さ方向の端部に配設した腰ベルト連結具によって、腰ベルト部を使用者の腰回りに配設する。一対の肩ベルト部は、前記本体部の上部に一端が固着され、他端が前記本体部の縦抱き状態における下部に接続されているから、前記一対の肩ベルト部の前記本体部の上部と前記本体部の前記下部との間に配設された肩ベルト連結具によって、本体部の上部と肩ベルト連結具によって連結した部位との間で一対の肩ベルト部の肩ベルト長を決定する。そして、その一対の肩ベルト部を使用者側の肩の背後に回すことにより縦抱きとする。その後、必要に応じて、対抗する前記一対の肩ベルト部の距離を設定する補助ベルトを止める。
また、横抱きするときは、本体部に重ね合わせて横抱き用補助具を取付け、本体部の横抱き用補助具に乳幼児の身体の背側が直接的にあてがわれるように寝かせる。即ち、本体部に乳幼児の身体の背側が間接的にあてがわれるようにする。その本体部の縦抱き状態の下部で略逆Ｔ字状に取付けられている腰ベルト部を腰ベルト連結具と共に取り外すか、或いは腰ベルト部を格納する。一対の肩ベルト連結具は、前記本体部の上部に一端が固着され、他端が前記本体部の縦抱き状態における下部に接続されているから、その一対の肩ベルト部を使用者側の肩または首の背後に回すことにより横抱きとする。
したがって、首がすわっていない乳幼児を対象とした横抱きの体形と、首がすわってからの乳幼児を対象とした縦抱きの体形共に、使用者に過大な負担が加わることなく、かつ、乳幼児側の体形にも負担が少なく、また、横抱きの体形と縦抱きの体形との繋ぎ換えが簡単にできることになる。
特に、一対の肩ベルト部の長さとその肩ベルト部の長さと、一対の肩ベルト連結具の取付け位置を個別に調整しておくことにより、仮に、両方の使用が必要になった場合でも、使用者に合った縦抱きと横抱きが何らの調整もなく変更でき、使い勝手がよくなる。
【００１５】
請求項２のベビーキャリアは、縦抱きするときには、本体部に重ね合わせて取付けられている横抱き用補助具を外し、本体部に乳幼児の身体の腹側または背側が直接的にあてがわれるように寝かせる。その本体部の縦抱き状態の下部位置で略逆Ｔ字状に取付けられた腰ベルト部の水平の長さ方向の端部に配設した腰ベルト連結具によって、腰ベルト部を使用者の腰回りに配設する。一対の肩ベルト部は、前記本体部の上部に一端が固着され、他端が前記本体部の縦抱き状態における下側の腰ベルト部に接続されており、前記一対の肩ベルト部の各々に肩ベルト連結具が配設されているから、前記肩ベルト連結具によってその一対の肩ベルト部を使用者側の肩の背後に回すことにより縦抱きとする長さを限定する。そして、その一対の肩ベルト部を使用者側の肩の背後に回すことにより縦抱きとする。その後、必要に応じて、対抗する前記一対の肩ベルト部の距離を設定する補助ベルトを止める。
また、横抱きするときは、本体部に重ね合わせて横抱き用補助具を取付け、本体部の横抱き用補助具に乳幼児の身体の背側が直接的にあてがわれるように寝かせる。即ち、本体部に乳幼児の身体の背側が間接的にあてがわれるように寝かせる。その本体部の縦抱き状態の下部で略逆Ｔ字状に取付けられている腰ベルト部を、腰ベルト連結具と共に取り外すか、或いは腰ベルト部を腰ベルト連結具と共に格納する。一対の肩ベルト連結具は、前記本体部の上部に一端が固着され、他端が前記本体部の縦抱き状態における下側の腰ベルト部に接続されているから、その一対の肩ベルト部を使用者側の肩または首の背後に回すことにより横抱きとする。このとき、前記一対の肩ベルト部は、前記本体部の縦抱き状態における下部または前記腰ベルト部上部に接続した他端を、前記腰ベルト部に取付けているから、前記腰ベルト部が本体部に対して直角に立ち上がり、乳幼児の受けがその重心位置の臀部に深みを形成することができ、安定した横抱きが可能となる。このとき、前記一対の肩ベルト部は、前記本体部の縦抱き状態における本体部の下部に接続しているから、前記腰ベルト部が本体部と別体に形成されているので、乳幼児の受けがその重心位置の臀部に深みを形成することができ、安定した横抱きが可能となる。
したがって、首がすわっていない乳幼児を対象とした横抱きの体形と、首がすわってからの乳幼児を対象とした縦抱きの体形共に、使用者に過大な負担が加わることなく、かつ、乳幼児側の体形にも負担が少なく、また、横抱きの体形と縦抱きの体形との繋ぎ換えが簡単にできることになる。
特に、一対の肩ベルト部の長さとその肩ベルト部に対する一対の肩ベルト連結具の取付け位置を個別に調整しておくことにより、仮に、両方の使用が必要になった場合でも、使用者に合った縦抱きと横抱きが何らの調整もなく変更でき、使い勝手がよい。
【００１６】
請求項３のベビーキャリアは、縦抱きするときには、本体部に重ね合わせて取付けられている横抱き用補助具を外し、本体部に乳幼児の身体の腹側または背側が直接的にあてがわれるように寝かせる。その本体部の縦抱き状態の下部位置で略逆Ｔ字状に取付けられた腰ベルト部の水平の長さ方向の端部に配設した腰ベルト連結具によって、腰ベルト部を使用者の腰回りに配設する。また、一対の肩ベルト部は、前記本体部の上部に一端が固着され、他端が前記本体部の縦抱き状態における下部または前記腰ベルト部に接続されているから、前記一対の肩ベルト部の前記本体部の上部と前記本体部の前記下部または前記腰ベルト部との間に配設された肩ベルト連結具によって、本体部の上部と肩ベルト連結具によって連結した部位との間で一対の肩ベルト部の肩ベルト長を決定する。そして、その一対の肩ベルト部を使用者側の肩の背後に回すことにより縦抱きとする。その後、必要に応じて、対抗する前記一対の肩ベルト部の距離を設定する補助ベルトを止める。
また、横抱きするときは、本体部に重ね合わせて横抱き用補助具を取付け、本体部の横抱き用補助具に乳幼児の身体の背側が直接的にあてがわれるように寝かせる。即ち、本体部に乳幼児の身体の背側が間接的にあてがわれるようにする。
その本体部の縦抱き状態の下部で略逆Ｔ字状に取付けられている腰ベルト部を腰ベルト連結具と共に取り外すか、或いは腰ベルト部を腰ベルト連結具と共に格納する。一対の肩ベルト連結具は、前記本体部の上部に一端が固着され、他端が前記本体部の縦抱き状態における下部または前記腰ベルト部上部に接続されているから、その一対の肩ベルト部を使用者側の肩または首の背後に回すことにより横抱きとする。このとき、前記一対の肩ベルト部は、前記本体部の縦抱き状態における下部または前記腰ベルト部上部に接続した他端を、前記腰ベルト部に沿って通過させ、前記腰ベルト部の下部から導出させているから、前記腰ベルト部が本体部に対して直角に立ち上がるから、乳幼児の受けがその重心位置の臀部に深みを形成することができ、安定した横抱きが可能となる。
したがって、首がすわっていない乳幼児を対象とした横抱きの体形と、首がすわってからの乳幼児を対象とした縦抱きの体形共に、使用者に過大な負担が加わることなく、かつ、乳幼児側の体形にも負担が少なく、また、横抱きの体形と縦抱きの体形との繋ぎ換えが簡単にできることになる。
特に、一対の肩ベルト部の長さとその肩ベルト部に対する一対の肩ベルト連結具の取付け位置を個別に調整しておくことにより、仮に、両方の使用が必要になった場合でも、使用者に合った縦抱きと横抱きが何らの調整もなく変更でき、使い勝手がよい。
【図面の簡単な説明】
【００１７】
【図１】図１は本発明の実施の形態１にかかるベビーキャリアの乳幼児を抱く面側から見た平面図である。
【図２】図２は本発明の実施の形態１にかかるベビーキャリアの乳幼児を抱く面の反対側から見た平面図である。
【図３】図３は本発明の実施の形態１にかかるベビーキャリアの乳幼児を縦抱きする状態を示す平面図である。
【図４】図４は本発明の実施の形態１にかかるベビーキャリアの乳幼児を横抱きする横抱き用補助具を取付けた使用状態を示す平面図である。
【図５】図５は本発明の実施の形態１にかかるベビーキャリアの乳幼児を横抱きする横抱き用補助具の裏面側から見た平面図である。
【図６】図６は本発明の実施の形態１にかかるベビーキャリアの乳幼児を横抱きする横抱き用補助具の肩ベルト部に対する取付け工程を示す説明図である。
【図７】図７は本発明の実施の形態１にかかるベビーキャリアの乳幼児を横抱きする状態を示す要部斜視図である。
【図８】図８は本発明の実施の形態１にかかるベビーキャリアの格納部に腰ベルト連結具及び腰ベルト部を格納した状態の要部斜視図である。
【図９】図９は本発明の実施の形態２にかかるベビーキャリアの乳幼児を横抱きする状態を示す要部斜視図である。
【図１０】図１０は本発明の実施の形態３にかかるベビーキャリアの乳幼児を横抱きする状態を示す要部斜視図である。
【図１１】図１１は本発明の実施の形態４を示すベビーキャリアにおいて、腰ベルト部を取外し自在とした状態の説明図で、装着状態（ａ）から片側の腰ベルト部を抜いた状態（ｂ）、次いで、残りの腰ベルト部を抜いて分離した状態（ｃ）を示す説明図である。
【図１２】図１２は本発明の実施の形態１乃至４にかかるベビーキャリアの乳幼児を縦抱きする状態を示す斜視図である。
【図１３】図１３は本発明の実施の形態１乃至３にかかるベビーキャリアの乳幼児を横抱きする状態を示す斜視図である。
【発明を実施するための形態】
【００１８】
以下、本発明の実施の形態について、図面に基づいて説明する。なお、実施の形態において、図示の同一記号及び同一符号は、同一または相当する機能部分であるから、ここではその重複する説明を省略する。
【００１９】
［実施の形態１］
まず、図１乃至図８、図１２及び図１３に示すように、本発明の実施の形態の本体部１０は、縦抱きのとき乳幼児Ｂの身体の腹側または背部が直接あてがわれる部分で、所定の柔軟性を持ち、かつ、乳幼児Ｂの体形に無理が加わらないように若干の弾性を有する芯材を入れて形成されている。全体が略長方形状となっている。
図１乃至図３において、本体部１０の下部、即ち、縦抱き状態の下部、つまり、図の手前側には略逆Ｔ字状に一体化した腰ベルト部２０が配設されている。腰ベルト部２０のベルト長さ方向の端部に配設した連結具としての連結差込具２１と連結受具２２によって両者が連結自在とし、使用者Ｍの腰回りに配設自在となっている。なお、連結具としての連結差込具２１及び連結受具２２は本実施の形態の腰ベルト連結具２を構成する。
なお、以下、実施の形態において最下端付近、下部とは、縦抱き状態の位置の最下端またはその５ｃｍ以内の近傍、下部またはその５ｃｍ以内の下部近傍を示すものとする。
【００２０】
本体部１０と腰ベルト部２０とは、縫製によって縫い合わされており、両者間は、本体部１０の面方向に対して直角方向に折れ曲がり自在となっている。また、腰ベルト部２０も本体部１０と同様、所定の柔軟性を持ち、かつ、使用者Ｍの腰回りに配設しても使用者Ｍの体形に無理が加わらないように若干の弾性を持つ芯材を入れて形成されている。また、その幅も、１０〜２０ｃｍ程度の幅として、乳幼児Ｂの体重が加わったときでも、使用者Ｍの腰回りに加わる力に集中が生じないようにしている。
【００２１】
腰ベルト連結具２としての連結差込具２１と連結受具２２は、一対のバックルから構成されているが、本発明を実施する場合には、ナスカン、カラビナ、スプリングホック、Ｄロック、クイックキャッチ、楕円リング等の連結具が使用可能であり、何れを選択してもよい。通常、簡単に連結可能であり、安全性の高いものが使用される。そして、腰ベルト連結具２としてのバックルの連結差込具２１と連結受具２２は、何れ側を連結差込具２１側または連結受具２２側としてもよい。
【００２２】
本実施の形態の腰ベルト連結具２としての連結差込具２１と連結受具２２は、必要ベルト長が決められるように、一方または両方に所定長の連結ベルト２３を配設し、腰ベルト部２０の長さを決定している。この所定長の連結ベルト２３は使用者Ｍの腰の周囲の長さに合わせるものであり、腰ベルト部２０の中央または腰ベルト連結具２としての連結差込具２１または連結受具２２で調整することもできるから、必ずしも必要とするものではない。
【００２３】
腰ベルト部２０の本体部１０側は、縦抱き状態の最下端またはその付近が一体に縫い合わされている。肩ベルト部４０の一方の延長ベルト部４２ａ，４２ｂの端部も同時に縫い合わせによって接合されている。特に、腰ベルト部２０と本体部１０、本体部１０と肩ベルト部４０との間には、乳幼児の体重が加わるので、堅固に縫製されている。
なお、腰ベルト部２０に配設されているホック２８ａ、２８ｂは横抱き用補助具８０の取付け用である。
【００２４】
本実施の形態の本体部１０の上方には、一対の肩ベルト部４０が設けられている。一対の肩ベルト部４０は、主として、肩掛け部４１ａ，４１ｂと延長ベルト部４２ａ，４２ｂと、一対の肩ベルト部４０の一端が取付けられた本体部１０の上部と、一対の肩ベルト部４０の他端が取付けられた本体部１０の縦抱き状態における下部との間の本体部１０に配設された連結受具６１ａ，６１ｂに取付けられる肩ベルト部４０に配設された連結差込具６３ａ，６３ｂからなる肩ベルト連結具６で構成されている。肩掛け部４１ａ，４１ｂは所定の柔軟性を持つ材料で形成されている。即ち、通常は、延長ベルト部４２ａ，４２ｂを芯とし、その周囲に柔軟性に富む緩衝材が設けられている。肩掛け部４１ａ，４１ｂはこの緩衝材によって肩または首の背後の一部分に乳幼児Ｂの体重が加わらないようにしている。ここで、連結差込具６３ａ，６３ｂと連結受具６１ａ，６１ｂとは、肩ベルト連結具６を構成している。
【００２５】
また、一対の肩ベルト部４０には、延長ベルト部４２ａ，４２ｂに肩ベルト連結具６である連結差込具６３ａ，６３ｂが配設されており、延長ベルト部４２ａ，４２ｂは取付ベルト４４ａ，４４ｂにアジャスタ４５ａ、４５ｂを介して接続されている。取付ベルト４４ａ，４４ｂは肩掛け部４１ａ，４１ｂの芯材に堅固に両端が接合されており、また、その縦抱き状態における下端は、アジャスタ４５ａ、４５ｂに取付けられている。このアジャスタ４５ａ、４５ｂによって、一対の肩ベルト部４０の長さが調節可能となっている。また、連結差込具６３ａ，６３ｂは必ずしも、延長ベルト部４２ａ，４２ｂに固着する必要はないが、通常所定の位置に固着される。このときには、縦抱き長さと、横抱きの長さの調節を延長ベルト部４２ａ，４２ｂで行うことになる。
【００２６】
なお、肩ベルト連結具６である連結差込具６３ａ，６３ｂが、必ずしも、延長ベルト部４２ａ，４２ｂに固着する必要がない理由は、縦抱きの場合、乳幼児Ｂが大きくなっており、連結受具６１ａ，６１ｂと延長ベルト部４２ａ，４２ｂとの取付け部との距離が特定され、かつ、後述する補助ベルト５０の連結差込具５２ａと連結受具５２ｂを係合状態とし、一対の肩ベルト部４０の間隔が固定されるから、これにより、肩掛け部４１ａと肩掛け部４１ｂとの間が所定の距離を保つことができるからである。また、本発明を実施する場合の肩ベルト連結具６は、連結差込具６３ａ，６３ｂと連結受具６１ａ，６１ｂからなるが、連結差込具と連結受具の対を逆にすることもできる。
【００２７】
肩ベルト連結具６を構成する連結差込具６３ａ，６３ｂに対抗する連結受具６１ａ，６１ｂは、連結差込具と連結受具の対を何れ側に配設してもよい。本実施の形態においては、連結受具６１ａ，６１ｂは、図２に示すように、本体部１０の縦抱きの高さ方向の１／３乃至２／３の範囲の両辺に縫製部６２ａ，６２ｂを縫い付けることによって取付けられている。この肩ベルト連結具６としての連結差込具６３ａ，６３ｂは、堅固に固定してもよいし、アジャスタ機能によって移動自在にできる固定であってもよい。
【００２８】
即ち、一対の肩ベルト部４０に配設した肩ベルト連結具６としての連結差込具６３ａ，６３ｂは、後述する補助ベルト５０の位置よりも縦抱きの場合の下部位置に設けられている。補助ベルト５０は通常使用者Ｍの肩の後ろ位置（肩甲骨付近の位置）になり、肩ベルト連結具６を構成する連結差込具６３ａ，６３ｂと連結受具６１ａ，６１ｂは、使用者Ｍの脇の下の位置になる。特に、連結差込具６３ａ，６３ｂが固定されていないときには、補助ベルト５０を引っ張って連結差込具６３ａ，６３ｂと連結受具６１ａ，６１ｂを係合することができ、それだけ一対の肩ベルト部４０の長さの自由度が高くなり、取付け易さが向上する。
【００２９】
本実施の形態では、一対の肩ベルト部４０が肩掛け部４１ａ，４１ｂ及び延長ベルト部４２ａ，４２ｂで全長が形成され、その間の全長の長さ調節用としてアジャスタ４５ａ、４５ｂが配設されている。このアジャスタ４５ａ、４５ｂは、使用者Ｍの平均的な一対の肩ベルト部４０の全長がほぼ決まっているから省略することができる。また、取付ベルト４４ａ，４４ｂも、補助ベルト５０の一対の肩ベルト部４０との取付け点を固定とすれば、取付ベルト４４ａ，４４ｂを省略することもできる。
【００３０】
補助ベルト５０は、ベルト材５１ａ，５１ｂ及び連結差込具５２ａまたは連結受具５２ｂからなり、ベルト材５１ａ，５１ｂの連結差込具５２ａまたは連結受具５２ｂの反対側の取付け部が取付ベルト４４ａ，４４ｂを摺動自在としている。取付ベルト４４ａ，４４ｂが補助ベルト５０の固定位置を摺動することにより、一対の肩ベルト部４０の最も自由度が高い位置に定着し、安定した縦抱き状態を維持できる。
【００３１】
縦抱きする場合の本体部１０の高さ方向の約１／２の高さには、乳幼児Ｂの身体を拘束する保安ベルト７０が配設されている。保安ベルト７０はベルト材７１の中央を本体部１０の中央に縫い付け、その両端に幼児用連結具７としての連結差込具７２ａまたは連結受具７２ｂを取付けたものである。
この連結差込具７２ａには、乳幼児Ｂの胴回りの長さに調節できるように、アジャスタ機能を有している。勿論、連結差込具７２ａまたは連結受具７２ｂとは別にアジャスタ機能を持たせることもできる。この保安ベルト７０は縦抱きの場合にも、横抱きの場合にも使用される。
【００３２】
横抱き用補助具８０は、図４乃至図８に示すように、本体部１０に取付保持部材８７ａ，８７ｂを肩掛け部４１ａ，４１ｂに接着布８８ａ，８８ｂを巻き付けて取付け、また、金属スナップボタン８４ａ，８４ｂを腰ベルト部２０の金属スナップボタン２８ａ，２８ｂに取付けて両者を一体化する。横抱き用補助具８０の基部８５で乳幼児Ｂの身体の頭部及び背部及び臀部を受ける。
【００３３】
また、乳幼児Ｂは、本体部１０の乳幼児保持用の固定ベルト７２ａ,７２ｂにより、その先端の幼児用連結具７としての連結差込具７３ａと連結受具７３ｂが接続され乳幼児Ｂの重心位置を保持する。この状態で基部８５の下側に位置し、金属スナップボタン８４ａ，８４ｂを腰ベルト部２０の金属スナップボタン２８ａ，２８ｂに取付けて両者を一体化しているから、基部８５に対して直角な位置状態となり、折曲端部８４は乳幼児Ｂの足部を保護する。
【００３４】
図２及び図８に示すように、腰ベルト部２０にはパワーネットによって両端が開口した格納部３０が形成されている。本実施の形態における格納部３０は外部から腰ベルト部２０の格納状態が確認できるようにするためのものである。本発明を実施する場合には、これを内側、即ち、横抱き用補助具８０の取付け側に配置することもできる。特に、本実施の形態では、乳幼児Ｂの安全のために外側に格納部３０を形成した。
したがって、図１２に示す本実施の形態１のベビーキャリアの乳幼児を縦抱きする状態の斜視図に示すように使用することができる。
【００３５】
図３は本実施の形態のベビーキャリアの縦抱きの場合の状態を示すものである。本実施の形態のベビーキャリアは、次のように使用される。
縦抱きするときには、本体部１０に重ね合わせて取付けられている横抱き用補助具８０が配置されている場合、まず、それを外し、本体部１０に乳幼児Ｂの身体の腹側または背側が直接的にあてがわれるように寝かせる。乳幼児Ｂの体に対して保安ベルト７０の連結差込具７２ａと連結受具７２ｂを係合させ、ベルト材７１で乳幼児Ｂを本体部１０に固定する。
一対の肩ベルト部４０の延長ベルト部４２ａ，４２ｂに配設されている肩ベルト連結具６としての連結差込具６３ａ，６３ｂを、本体部１０に連結した縫製部６２ａ，６２ｂの連結受具６１ａ，６１ｂに係合させる。
【００３６】
そして、本体部１０の下部と一体化した腰ベルト部２０を使用者Ｍの腰回りに腰ベルト連結具２としての連結差込具２１と連結受具２２を用いて接続し、使用者Ｍの腰回りに取付ける。そして、一対の肩ベルト部４０に手を通して乳幼児Ｂを縦抱きする。更に、補助ベルト５０の連結差込具５２ａと連結受具５２ｂを係合状態とし、一対の肩ベルト部４０の間隔を固定し、これにより、使用状態で肩掛け部４１ａと肩掛け部４１ｂが肩から外れるという事態が発生しないようにする。
【００３７】
次に、横抱きについて説明する。
本体部１０に横抱き用補助具８０の取付保持部材８７ａ，８７ｂを一対の肩ベルト部４０の肩掛け部４１ａ，４１ｂに取付け、また、金属スナップボタン８４ａ，８４ｂを腰ベルト部２０の金属スナップボタン２８ａ，２８ｂに取付けて両者を本体部１０及び一対の肩ベルト部４０に一体化する。横抱き用補助具８０の基部８５で乳幼児Ｂの身体の頭部及び背部及び臀部を受ける。また、乳幼児Ｂは、本体部１０の保安ベルト７０のベルト材７１により、その先端の幼児用連結具７としての連結差込具７２ａと連結受具７２ｂが接続され乳幼児Ｂの重心位置を保持する。この状態で基部８５の下側に位置し、基部８５に対して直角な位置状態となる折曲端部８４は、乳幼児Ｂの足部を保護することになる。また、所定以上の身長がある場合には、腰ベルト部２０に足を乗せ、横抱き用補助具８０の基部８５が乳幼児Ｂの臀部の下がり移動を防止する。
【００３８】
腰ベルト部２０の格納部３０には、腰ベルト部２０の使用者Ｍの腰回りの長さ方向の端部に配設された連結差込具２１及び連結受具２２の腰ベルト連結具２及び所定長のベルト２３が所定の距離で折り畳まれて格納される。このとき、腰ベルト部２０の格納部３０に、連結差込具２１及び連結受具２２の腰ベルト連結具２及び所定長のベルト２３が腰ベルト部２０が折り畳んで装着されるために、その厚みが厚くなり、乳幼児Ｂの足がそこに当たっても、乗り越えても、足の一部のみに負担がかかることがない。
【００３９】
一対の肩ベルト部４０の延長ベルト部４２ａ，４２ｂに配設した肩ベルト連結具６としての連結差込具６３ａ，６３ｂは、本体部１０の連結受具６１ａ，６１ｂとの係合を解くことにより、一対の肩ベルト部４０が肩掛け部４１ａ，４１ｂの上端部及び延長ベルト部４２ａ，４２ｂの下端部のみが本体部１０に直接接続された状態となる。
逆に、肩ベルト連結具６としての連結差込具６３ａ，６３ｂによって本体部１０の連結受具６１ａ，６１ｂとの係合を行うことは、一対の肩ベルト部４０として使用する長さを制限することになる。
【００４０】
ここで、一対の肩ベルト部４０は、本体部１０の上部に一端が固着され、他端が本体部１０の縦抱き状態における下部に接続されているから、その一対の肩ベルト部４０の全長を使用者Ｍ側の肩または首の背後に回すことにより横抱きとすることができる。
したがって、図１３に示すように、本実施の形態１のベビーキャリアの乳幼児を横抱きする状態の斜視図に示すように使用することができる。
【００４１】
このように、本実施の形態１のベビーキャリアは、乳幼児Ｂの身体の腹側が直接的または背側が直接的、間接的にあてがわれる本体部１０と、本体部１０の縦抱き状態における下部と略逆Ｔ字状に交差させてなる使用者Ｍの腰回りに配設自在な腰ベルト部２０と、本体部１０の上部に一端が固着され、使用者Ｍ側の肩または首の背後に回して、他端を本体部１０の縦抱き状態における下部に接続し、その長さ方向の端部は腰ベルト連結具２によって互いに連結自在とした一対の腰ベルト部２０と、一対の肩ベルト部４０の一端が取付けられた本体部１０の上部と、他端が取付けられた本体部１０の縦抱き状態における前記下部との間に一方が取付けられ、他方が一対の肩ベルト部４０の各々に配設された肩ベルト連結具６と、本体部１０に重ね合わせて取付け、取外しが自在であり、かつ、乳幼児Ｂの身体の背側があてがわれる内部に剛性のある芯材を収容し、前記芯材の表面をクッション性に富む材料で覆った横抱き用補助具８０とを具備するものである。
【００４２】
本実施の形態１のベビーキャリアは、縦抱きするときには、本体部１０に重ね合わせて取付けられている横抱き用補助具８０を外し、本体部１０に乳幼児Ｂの身体の腹側または背側が直接的にあてがわれるように寝かせる。その本体部１０の縦抱き状態の下部位置で略逆Ｔ字状に取付けられた腰ベルト部２０の水平の長さ方向の端部に配設した腰ベルト連結具２によって、腰ベルト部２０を使用者Ｍの腰回りに配設する。連結差込具６３ａ，６３ｂと連結受具６１ａ，６１ｂとの一対の肩ベルト連結具６は、本体部１０の上部に一端が固着され、他端が本体部１０の縦抱き状態における下部に接続されているから、本体部１０の上部と本体部１０の前記下部との間の一方の肩ベルト連結具６に、一対の肩ベルト部４０の各々に配設された他方の肩ベルト連結具６を接続する。そして、その一対の肩ベルト部４０を使用者Ｍ側の肩の背後に回すことにより縦抱きとする。その後、必要に応じて、対抗する一対の肩ベルト部４０の距離を設定する補助ベルト５０を係合する。
【００４３】
横抱きするときは、本体部１０に重ね合わせて横抱き用補助具８０を取付け、本体部１０の横抱き用補助具８０に乳幼児Ｂの身体の背側が直接的にあてがわれるように寝かせる。即ち、本体部１０に乳幼児Ｂの身体の背側が間接的にあてがわれるようにする。その本体部１０の縦抱き状態の下部で略逆Ｔ字状に取付けられている腰ベルト部２０を腰ベルト連結具２と共に取り外すか、或いは腰ベルト部２０の全体を格納する。連結差込具６３ａ，６３ｂまたは連結受具６１ａ，６１ｂ等からなる一対の肩ベルト連結具６は、本体部１０の上部に一端が固着され、他端が本体部１０の縦抱き状態における下部に接続されているから、その一対の肩ベルト部４０を使用者Ｍ側の肩または首の背後に回すことにより横抱きとする。
【００４４】
したがって、首がすわっていない乳幼児Ｂを対象とした横抱きの体形と、首がすわってからの乳幼児Ｂを対象とした縦抱きの体形共に、使用者Ｍに過大な負担が加わることなく、かつ、乳幼児Ｂ側の体形にも負担が少なく、また、横抱きの体形と縦抱きの体形との繋ぎ換えが簡単にできることになる。
特に、一方の連結差込具６３ａ，６３ｂまたは連結受具６１ａ，６１ｂ等の一対の肩ベルト部４０の長さとその肩ベルト部４０に対する連結差込具６３ａ，６３ｂまたは連結受具６１ａ，６１ｂ等の一対の肩ベルト連結具６の取付け位置を個別に調整しておくことにより、仮に、両方の使用が必要になった場合でも、使用者に合った縦抱きと横抱きが何らの調整もなく変更でき、使い勝手がよい。
【００４５】
［実施の形態２］
実施の形態１では、本体部１０の上方には、一対の肩ベルト部４０が設けられ、それらの一対の肩ベルト部４０は、肩掛け部４１ａ，４１ｂと延長ベルト部４２ａ，４２ｂからでその長さが決定され、一対の肩ベルト部４０の一端が取付けられた本体部１０の上部と、他端が取付けられた本体部１０の縦抱き状態における下部との間に連結差込具６３ａ，６３ｂが取付けられる連結受具６１ａ，６１ｂが配設されている。
このとき、横抱き用補助具８０が図４乃至図８に示すように、本体部１０の金属スナップボタン８４ａ，８４ｂを腰ベルト部２０の金属スナップボタン２８ａ，２８ｂに取付けて両者を一体化すると、格納部３０に格納した腰ベルト部２０は、横抱き用補助具８０の基部８５に対して立っている。しかし、乳幼児Ｂの足等が乗ると、腰ベルト部２０が変形する可能性がある。それを改良したのが実施の形態２である。
【００４６】
図９は実施の形態２のベビーキャリアにおける腰ベルト部２０の要部を説明する説明図である。特に、この実施の形態２では、実施の形態１との相違点のみ説明する。
本実施の形態では、図示しない一対の肩ベルト部４０の一端が取付けられた本体部１０の上部と、他端が取付けられた本体部１０の縦抱き状態における下部の腰ベルト部２０の上部に取付けられている。勿論、乳幼児Ｂの体重に十分に耐える取付け状態となる。
【００４７】
本実施の形態においては、一対の肩ベルト部４０の一端が腰ベルト部２０の端部に取付けられているから、横抱きのときには、常に、腰ベルト部２０が立ち、また、その横幅の中心部で支持しているから、乳幼児Ｂの股間から肩ベルト部４０の延長ベルト部４２ａ，４２ｂが位置し、安定した抱き方ができる。
また、縦抱きを行うときには、腰ベルト部２０と延長ベルト部４２ａ，４２ｂが一体となり、一対の肩ベルト部４０の乳幼児Ｂの体重に起因する張力は本体部１０の上部と連結差込具６３ａ，６３ｂと連結受具６１ａ，６１ｂとの結合部である肩ベルト連結具６との間に加わるものですから、腰ベルト部２０に固定されたと延長ベルト部４２ａ，４２ｂの存在が邪魔になることはない。
【００４８】
このように、本実施の形態２のベビーキャリアは、乳幼児Ｂの身体の腹側が直接的または背側が直接的、間接的にあてがわれる本体部１０と、本体部１０の縦抱き状態における下部と略逆Ｔ字状となって使用者Ｍの腰回りに配設自在な腰ベルト部２０と、本体部１０の上部に一端が固着され、使用者Ｍ側の肩または首の背後に回して、他端を本体部１０の縦抱き状態における下側の腰ベルト部２０に接続し、その長さ方向の端部は連結差込具２１及び連結受具２２等からなる腰ベルト連結具２によって互いに連結自在とした一対の腰ベルト部２０と、一対の肩ベルト部４０の一端が取付けられた本体部１０の上部と、他端が取付けられた本体部１０の縦抱き状態における腰ベルト部２０との間に一方が取付けられ、他方が肩ベルト部４０の各対に配設された連結差込具６３ａ，６３ｂ等からなる肩ベルト連結具６と、本体部１０に重ね合わせて取付け、取外しが自在であり、かつ、乳幼児Ｂの身体の背側があてがわれる内部に剛性のある芯材を収容し、前記芯材の表面をクッション性に富む材料で覆った横抱き用補助具８０とを具備するものである。
【００４９】
実施の形態２のベビーキャリアは、縦抱きするときには、本体部１０に重ね合わせて取付けられている横抱き用補助具８０を外し、本体部１０に乳幼児Ｂの身体の腹側または背側が直接的にあてがわれるように寝かせる。その本体部１０の縦抱き状態の下部位置で略逆Ｔ字状に取付けられた腰ベルト部２０の水平の長さ方向の端部に配設した連結差込具２１及び連結受具２２等からなる腰ベルト連結具２によって、腰ベルト部２０を使用者の腰回りに配設する。また、一対の肩ベルト連結具６は、本体部１０の上部に一端が固着され、他端が本体部１０の縦抱き状態における下側の腰ベルト部２０に接続されているから、本体部１０の上部と本体部１０の下側の腰ベルト部２０との間の一方の連結差込具６３ａ，６３ｂ等からなる肩ベルト連結具６に、一対の肩ベルト部４０の各々に配設された他方の連結差込具６３ａ，６３ｂ等からなる肩ベルト連結具６を接続する。そして、その一対の肩ベルト部４０を使用者Ｍ側の肩の背後に回すことにより縦抱きとする。その後、必要に応じて、対抗する一対の肩ベルト部４０の距離を設定する補助ベルト５０を止める。
【００５０】
また、横抱きするときは、本体部１０に重ね合わせて横抱き用補助具８０を取付け、本体部１０の横抱き用補助具８０に乳幼児Ｂの身体の背側が直接的にあてがわれるように寝かせる。即ち、本体部１０に乳幼児Ｂの身体の背側が間接的にあてがわれるようにする。その本体部１０の縦抱き状態の下部で略逆Ｔ字状に取付けられている腰ベルト部２０を連結差込具２１及び連結受具２２等からなる腰ベルト連結具２と共に取り外すか、或いは腰ベルト部２０を連結差込具２１及び連結受具２２等からなる腰ベルト連結具２と共に格納する。連結差込具２１及び連結受具２２等からなる一対の腰ベルト連結具２は、本体部１０の上部に一端が固着され、他端が本体部１０の縦抱き状態における下側の腰ベルト部２０に接続されているから、その一対の肩ベルト部４０を使用者Ｍ側の肩または首の背後に回すことにより横抱きとする。
【００５１】
したがって、首がすわっていない乳幼児Ｂを対象とした横抱きの体形と、首がすわってからの乳幼児Ｂを対象とした縦抱きの体形共に、使用者Ｍに過大な負担が加わることなく、かつ、乳幼児Ｂ側の体形にも負担が少なく、また、横抱きの体形と縦抱きの体形との繋ぎ換えが簡単にできることになる。
特に、一対の肩ベルト部４０の長さとその肩ベルト部４０に対する連結差込具６３ａ，６３ｂと連結受具６１ａ，６１ｂ等からなる一対の肩ベルト連結具６の取付け位置を個別に調整しておくことにより、仮に、両方の使用が必要になった場合でも、使用者Ｍに合った縦抱きと横抱きが何らの調整もなく変更でき、使い勝手がよい。
【００５２】
実施の形態１のベビーキャリアは、図示しない一対の肩ベルト部４０の一端が取付けられた本体部１０の上部と、他端が取付けられた本体部１０の縦抱き状態における下部に取付けられている。また、実施の形態２のベビーキャリアは、図示しない一対の肩ベルト部４０の一端が取付けられた本体部１０の上部と、他端が取付けられた本体部１０の縦抱き状態における下部の腰ベルト部２０の上部に取付けられている。しかし、取付け状態は、本体部１０の下部であっても、実施の形態２と同様の形態とすることができる。
【００５３】
［実施の形態３］
図１０は実施の形態３のベビーキャリアにおける腰ベルト部２０の要部を説明する説明図である。特に、この実施の形態３では、実施の形態１及び実施の形態２との相違点のみ説明する。
本実施の形態においては、一対の肩ベルト部４０の一端は、実施の形態１のベビーキャリアと同様、図示しない一対の肩ベルト部４０の一端が取付けられた本体部１０の上部と、他端が取付けられた縦抱き状態における本体部１０の下部に取付けられている。
【００５４】
そして、腰ベルト部２０の格納部３０を形成するパワーネット側に貫通する筒状の鞘、即ち、所定の通し孔を形成し、その通し孔の上端（乳幼児の縦抱きの場合の最下端位置）から延長ベルト部４２ａ，４２ｂを取出している。
したがって、腰ベルト部２０の上部に取出口３１が存在するから、横抱きのときには、常に、腰ベルト部２０が立ち、また、その横幅の中心部で支持しているから、乳幼児Ｂの股の間から肩ベルト部４０の延長ベルト部４２ａ，４２ｂが位置し、安定した抱き方ができる。
【００５５】
また、縦抱きを行うときには、腰ベルト部２０の裏側で延長ベルト部４２ａ，４２ｂが一体となり、一対の肩ベルト部４０の乳幼児Ｂの体重に起因する張力は本体部１０の上部と連結差込具６３ａ，６３ｂと連結受具６１ａ，６１ｂとの結合部との間に加わるものですから、腰ベルト部２０に固定されたと延長ベルト部４２ａ，４２ｂの存在が邪魔になることはない。
【００５６】
本実施の形態３のベビーキャリアは、乳幼児Ｂの身体の腹側が直接的または背側が直接的、間接的にあてがわれる本体部１０と、本体部１０の縦抱き状態における下部と略逆Ｔ字状に、使用者Ｍの腰回りに配設自在な腰ベルト部２０と、本体部１０の上部に一端が固着され、使用者Ｍ側の肩または首の背後に回して、他端を本体部１０の縦抱き状態における下部または腰ベルト部２０に接続し、本体部１０の縦抱き状態における下部または腰ベルト部２０に接続した他端を、腰ベルト部２０に沿って通過させ、腰ベルト部２０の下部から導出させてなる一対の肩ベルト部４０と、一対の肩ベルト部４０の一端が取付けられた本体部１０の上部と、他端が取付けられた本体部１０の縦抱き状態における腰ベルト部２０との間に一方が取付けられ、他方が肩ベルト部４０の各対に配設された連結差込具６３ａ，６３ｂまたは連結受具６１ａ，６１ｂからなる肩ベルト連結具６と、本体部１０に重ね合わせて取付け、取外しが自在であり、かつ、乳幼児Ｂの身体の背側があてがわれる内部に剛性のある芯材を収容し、前記芯材の表面をクッション性に富む材料で覆った横抱き用補助具８０を具備する。
【００５７】
本実施の形態３のベビーキャリアは、縦抱きするときには、本体部１０に重ね合わせて取付けられている横抱き用補助具８０を外し、本体部１０に乳幼児Ｂの身体の腹側または背側が直接的にあてがわれるように寝かせる。その本体部１０の縦抱き状態の下部位置で略逆Ｔ字状に取付けられた腰ベルト部２０の水平の長さ方向の端部に配設した連結差込具２１及び連結受具２２等からなる腰ベルト連結具２によって、腰ベルト部２０を使用者Ｍの腰回りに配設する。また、連結差込具６３ａ，６３ｂまたは連結受具６１ａ，６１ｂからなる一対の肩ベルト連結具６は、本体部１０の上部に一端が固着され、他端が本体部１０の縦抱き状態における下部または腰ベルト部２０の上部に接続されているから、本体部１０の上部と本体部１０の下部または腰ベルト部２０の上部との間の一方の連結差込具６３ａ，６３ｂまたは連結受具６１ａ，６１ｂからなる肩ベルト連結具６に、一対の肩ベルト部４０の各々に配設された連結受具６１ａ，６１ｂまたは連結差込具６３ａ，６３ｂからなる他方の肩ベルト連結具６を接続する。そして、その一対の肩ベルト部４０を使用者Ｍ側の肩の背後に回すことにより縦抱きとする。その後、必要に応じて、対抗する一対の肩ベルト部４０の距離を設定する補助ベルト５０を止める。
【００５８】
また、横抱きするときは、本体部１０に重ね合わせて横抱き用補助具８０を取付け、本体部１０の横抱き用補助具８０に乳幼児Ｂの身体の背側が直接的にあてがわれるように寝かせる。即ち、本体部１０に乳幼児Ｂの身体の背側が間接的にあてがわれるようにする。その本体部１０の縦抱き状態の下部で略逆Ｔ字状に取付けられている腰ベルト部２０を腰ベルト連結具２と共に取外すか、或いは腰ベルト部２０を腰ベルト連結具２と共に格納する。連結受具６１ａ，６１ｂまたは連結差込具６３ａ，６３ｂからなる一対の肩ベルト連結具６は、本体部１０の上部に一端が固着され、他端が本体部１０の縦抱き状態における下部または腰ベルト部２０の上部に接続されているから、その一対の肩ベルト部４０を使用者Ｍ側の肩または首の背後に回すことにより横抱きとする。このとき、連結受具６１ａ，６１ｂまたは連結差込具６３ａ，６３ｂからなる一対の肩ベルト部４０は、本体部１０の縦抱き状態における下部または腰ベルト部２０の上部に接続した他端を、腰ベルト部２０に沿って通過させ、腰ベルト部２０の下部から導出させているから、腰ベルト部２０が本体部に対して直角に立ち上がるから、乳幼児Ｂの受けがその重心位置の臀部に深みを形成することができ、安定した横抱きが可能となる。
【００５９】
したがって、首がすわっていない乳幼児Ｂを対象とした横抱きの体形と、首がすわってからの乳幼児Ｂを対象とした縦抱きの体形共に、使用者Ｍに過大な負担が加わることなく、かつ、乳幼児Ｂ側の体形にも負担が少なく、また、横抱きの体形と縦抱きの体形との繋ぎ換えが簡単にできることになる。
特に、一対の肩ベルト部４０の長さとその肩ベルト部４０に対する連結受具６１ａ，６１ｂまたは連結差込具６３ａ，６３ｂからなる一対の肩ベルト連結具６の取付け位置を個別に調整しておくことにより、仮に、両方の使用が必要になった場合でも、使用者Ｍに合った縦抱きと横抱きが何らの調整もなく変更でき、使い勝手がよい。
【００６０】
［実施の形態４］
図１１は実施の形態４であり、この実施の形態は、腰ベルト２０Ａを取り外すことができる構造としたものである。即ち、本体部１０の縦抱きの下端には、テープ織りした布で腰ベルト２０Ａの幅を包み込む程度のループ状の２カ所の包部２６ａ，２６ｂを形成し、そこに腰ベルト２０Ａを挿入し、腰ベルト部２０と本体部１０とを一体化している。
ここで、腰ベルト２０Ａは本体部１０と縫製されることなく、連結差込具２１と連結受具２２及び所定長のベルト２３等で形成され、包部２６ａ，２６ｂとともに腰ベルト部２０を構成する。
【００６１】
また、包部２６ａ，２６ｂには、ジャンパーホック、バネホックで知られているホック２７ａ乃至２７ｄが各々２カ所取付けられており、腰ベルト部２０を使用しないときには、腰ベルト２０Ａを抜き取り、包部２６ａ，２６ｂを本体部１０側に折り返すことにより、本体部１０側に取付けられているホック１７ａ乃至１７ｄと係合させ、包部２６ａ，２６ｂを本体部１０側に重ね合わせることができる。また、腰ベルト部２０を使用しないときの対応としては、腰ベルト２０Ａを抜き取り、包部２６ａ，２６ｂを本体部１０の裏側に折り返すことにより、本体部１０の裏側に取付けられているホック１７ａ乃至１７ｄと係合させ、この場合も包部２６ａ，２６ｂを本体部１０側に重ね合わせることができる。
【００６２】
本実施の形態では、腰ベルト２０Ａを抜き取ったり、取付けたりすることを前提に説明したが、腰ベルト２０Ａを包部２６ａ，２６ｂに挿入し他取付け状態では、その使用状態で包部２６ａ，２６ｂと腰ベルト２０Ａが相対移動する可能性がある。これを回避するには、腰ベルト２０Ａと包部２６ａ，２６ｂとの間に接着布を縫製するか、ジャンパーホック、バネホックで知られているホックを腰ベルト２０Ａと包部２６ａ，２６ｂに取付けることにより、移動止めとすることができる。
【００６３】
図１１に示す実施の形態４のベビーキャリアにおいては、使用者Ｍの腰回りに配設自在な腰ベルト部２０は、包部２６ａ，２６ｂから腰ベルト２０Ａを取外し自在としたものである。したがって、実施の形態のベビーキャリアの使用者Ｍの腰回りに配設自在な腰ベルト部２０は、取外し自在となり、ベビーキャリアを使用する乳幼児Ｂが限られている場合、不要な構成部品を持ち歩く必要がなく、かつ、構成部品がシンプルとなる。
【００６４】
上記実施の形態１乃至４のベビーキャリアにおける連結差込具６３ａ，６３ｂまたは連結受具６１ａ，６１ｂとからなる肩ベルト連結具６は、本体部１０の上部と肩ベルト部４０に各々対として固着され、しかも、肩ベルト部４０側の固着は一対の肩ベルト部４０間に配設し、前記肩ベルト部４０に沿って所定の範囲移動する補助ベルト５０の本体部１０の縦抱き状態における下部位置としたものである
【００６５】
上記実施の形態１乃至４のベビーキャリアの連結差込具６３ａ，６３ｂと連結受具６１ａ，６１ｂからなる肩ベルト連結具６は、本体部１０の上部と肩ベルト部４０に各々対として固着され、しかも、前記肩ベルト部４０側の固着は一対の肩ベルト部４０間に配設し、前記肩ベルト部４０に沿って所定の範囲移動する補助ベルト５０の本体部１０の縦抱き状態における下部位置としたものであるから、補助ベルト５０は肩ベルト部４０に沿って所定の範囲移動するが、連結差込具６３ａ，６３ｂ及び連結受具６１ａ，６１ｂとからなる肩ベルト連結具６の上の位置にあるから、補助ベルト５０は一対の肩ベルト部４０の間隔を設定でき、かつ、一対の肩ベルト部４０の長さを任意に設定できる。
【００６６】
前記肩ベルト部４０の本体部１０の縦抱き状態における下部は、本体部１０の横幅の１／２の位置に縫い合わせてなるものである。したがって、このベビーキャリアの肩ベルト部４０の本体部１０の縦抱き状態における下部は、本体部１０の横幅の１／２の位置に縫い合わせてなるものであるから、中央で支持されるから、全体に安定しておりバランスがよい。また、乳幼児Ｂの足の邪魔にならない。本体部１０の横幅の１／２の位置での縫い合わせは、延長ベルト部４２ａ，４２ｂの重ね縫いとしてもよい。
【００６７】
前記肩ベルト部４０の本体部１０の縦抱き状態における下部は、本体部１０の横幅の１／２の位置に２本の延長ベルト部４２ａ，４２ｂを縫い合わせてなるものであるが、本発明を実施する場合には、１本の帯材とし、その帯材が延長ベルト部４２ａ，４２ｂと分岐される形態とすることもできる。このとき、前記１本の帯材は幅広いもの、幅狭いものの何れでも対応できる。特に、直接縫い合わせているので、連結具が不要となり、延長ベルト部４２ａ，４２ｂの取付けの縫製により安定した強度が担保できる。
【符号の説明】
【００６８】
Ｍ    使用者
Ｂ    乳幼児
２    腰ベルト連結具
６    肩ベルト連結具
７    幼児用連結具
１０    本体部
２０    腰ベルト部
２１    連結差込具
２２    連結受具
３０    格納部
４０    肩ベルト部
４１ａ，４１ｂ    肩掛け部
４２ａ，４２ｂ    延長ベルト部
５０    補助ベルト
６１ａ，６１ｂ    連結受具
６３ａ，６３ｂ    連結差込具
７０    保安ベルト
８０    横抱き用補助具
８５    基部
【図１】
0005809072.tif 000002
【図２】
0005809072.tif 000003
【図３】
0005809072.tif 000004
【図４】
0005809072.tif 000005
【図５】
0005809072.tif 000006
【図６】
0005809072.tif 000007
【図７】
0005809072.tif 000008
【図８】
0005809072.tif 000009
【図９】
0005809072.tif 000010
【図１０】
0005809072.tif 000011
【図１１】
0005809072.tif 000012
【図１２】
0005809072.tif 000013
【図１３】
0005809072.tif 000014